(57)【要約】【課題】  温風運転と冷風運転とを迅速に切り換えることを可能とする。【解決手段】  吹き出し操作を行う吹出部３と、前記吹出部３への送風に対して熱交換可能な第１、第２熱交換部５，７と、前記第１、第２熱交換部５，７の一方から吸熱し他方へ放熱する冷却加熱部９と、前記第１、第２熱交換部５，７のいずれか一方を通して前記吹出部３へ選択的に送風可能とする送風手段１１と、前記送風手段１１の送風状態を切り換える切換スイッチ１３とからなることを特徴とする。【選択図】  図１
2005118366.tif 000002
【特許請求の範囲】
【請求項１】
頭髪調整風の吹き出しを行う吹出部と、
前記吹出部への送風を冷却可能な冷却部及び加温可能な加温部と、
該冷却部及び加温部のいずれか一方を介して前記吹出部へ選択的に送風可能とする送風手段と、
前記送風手段の送風状態を切り換える切換スイッチとからなることを特徴とするドライヤ。
【請求項２】
頭髪調整風の吹き出しを行う吹出部と、
前記吹出部への送風に対して熱交換可能な第１、第２熱交換部と、
前記第１、第２熱交換部の一方から吸熱し他方へ放熱する冷却加熱部と、
前記第１、第２熱交換部のいずれか一方を通して前記吹出部へ選択的に送風可能とする送風手段と、
前記送風手段の送風状態を切り換える切換スイッチとからなることを特徴とするドライヤ。
【請求項３】
請求項２記載のドライヤであって、
前記第１、第２熱交換部は、前記冷却加熱部の両側の熱交換面にそれぞれ隣接配置され、熱交換面に対し熱交換可能であることを特徴とするドライヤ。
【請求項４】
請求項３記載のドライヤであって、
前記第１、第２熱交換部は、前記冷却加熱部の両側の熱交換面に熱交換可能に各別に配置された複数の第１、第２伝導フィン組と該第１、第２伝導フィン組に熱交換可能に各別に配置され一端が前記送風管に連通し他端が前記第１、第２ファンに各別に対向する第１、第２分岐管とよりなることを特徴とするドライヤ。
【請求項５】
請求項２〜４のいずれかに記載のドライヤであって、
前記第１、第２熱交換部の放熱側に、発熱の断続操作可能なヒーターを設けたことを特徴とするドライヤ。
【請求項６】
請求項２〜５のいずれかに記載のドライヤであって、
前記送風手段は、前記吹出部と前記第１、第２熱交換部との間を接続する送風管と、前記第１、第２熱交換部からそれぞれ前記送風管側へ送風可能とする第１、第２ファンを備え、
前記切換スイッチは、前記第１、第２ファンを選択的に駆動させて前記送風手段の送風状態を切り換えることを特徴とするドライヤ。
【請求項７】
請求項１〜６の何れかに記載のドライヤであって、
前記頭髪調整風にマイナスイオンを発生させるマイナスイオン発生手段を設けたことを特徴とするドライヤ。
【発明の詳細な説明】
【技術分野】
【０００１】
本発明は、湿潤した毛髪の乾燥や整髪の際等に用いられるドライヤに関するものである。
【背景技術】
【０００２】
従来のドライヤとしては、例えば、図５に示すようなものがある。このドライヤ１０１は、図５のように、吹出口１０３を有した吹出部１０５を備えている。吹出部１０５には、把持するための把持部１０７が設けられている。
【０００３】
前記吹出部１０５内には、吹出口１０３と連通する送風路１０９が設けられている。送風路１０９内には、送風ファン１１１が吹出口１０３に対向配置されている。送風ファン１１１は、駆動モータ１１３の駆動軸１１５に取り付けられ、軸周りに回転駆動されるようになっている。この送風ファン１１１の回転駆動によって、吹出口１０３側に送風可能としている。
【０００４】
前記送風ファン１１１と吹出口１０３との間には、電気ヒーター１１７と電子冷却部１１９とが設けられている。電気ヒーター１１７は、例えば、抵抗線からなり、電流を流されると発熱するように動作する。この電気ヒーター１１７の動作によって、前記送風を加熱可能としている。
【０００５】
前記電子冷却部１１９は、ペルチェ効果を利用したものである。すなわち、電子冷却部１１９は、異なった種類の金属を接合されてなる。電子冷却部１１９では、金属の接合面に電流を流すことで熱を吸収するように動作する。この電子冷却部１１９の動作によって、前記送風を冷却可能としている。
【０００６】
前記把持部１０７には、電力供給用の電線１２１と切換スイッチ１２３とが取り付けられている。切換スイッチ１２３は、送風ファン１１１の駆動、停止状態及び電気ヒーター１１７と電子冷却部１１９の動作、停止状態を切り換えるものである。この切換スイッチの操作によって、温風運転と冷風運転とを切り換えることができる。
【０００７】
すなわち、電気ヒーター１１７と電子冷却部１１９とのいずれか一方を動作させながら送風ファン１１１を駆動し、温風又は冷風を吹出口１０３から吹き出すことができる。また、電気ヒーター１１７及び電子冷却部１１９のいずれも停止させることにより、送風運転とすることもできる。
【０００８】
このようなドライヤ１０１では、整髪効果を高める等の理由から温風運転後、直ちに冷風運転へ切り換えることが行われている。
【０００９】
しかしながら、上記ドライヤ１０１では、同一の送風路１０９内において、送風方向の上流側に電気ヒーター１１７が配置され下流側に電子冷却部１１９が配置された構造であり、温風運転時に電子冷却部１１９が加熱されることになる。このため、冷風運転に切り換えたとき、電子冷却部１１９の熱が除去されるまで冷却効果が立ち上がらず、温風運転と冷風運転との迅速な切り換えを行うことができない。
【００１０】
これに対し、電気ヒーター１１７と電子冷却部１１９との配置を逆にすることも考えられるが、この場合、温風運転から冷風運転に切り換えると、残熱状態にある電気ヒーター１１７によって冷風が加熱されるおそれがある。従って、かかる場合も、温風運転と冷風運転との迅速な切り換えを行うことができない。
【００１１】
さらに、電子冷却部１１９は、熱に弱いため温風運転時には極めて低い温度での送風とならざるを得ず、ドライヤとしての機能を十分に発揮することができない。
【００１２】
【特許文献１】特開弊６−３３５４０７号公報
【発明の開示】
【発明が解決しようとする課題】
【００１３】
本発明が解決しようとする問題点は、温風運転と冷風運転とを迅速に切り換えることができないこと、及びドライヤとしての機能を十分に発揮することができないことにある。
【課題を解決するための手段】
【００１４】
本発明は、温風運転と冷風運転とを迅速に切り換えるため、頭髪調整風の吹き出しを行う吹出部と、前記吹出部への送風を冷却可能な冷却部及び加温可能な加温部と、該冷却部及び加温部のいずれか一方を介して前記吹出部へ選択的に送風可能とする送風手段と、前記送風手段の送風状態を切り換える切換スイッチとからなることを最も主な特徴とする。
【００１５】
好ましくは、頭髪調整風の吹き出しを行う吹出部と、前記吹出部への送風に対して熱交換可能な第１、第２熱交換部と、前記第１、第２熱交換部の一方から吸熱し他方へ放熱する冷却加熱部と、前記第１、第２熱交換部のいずれか一方を通して前記吹出部へ選択的に送風可能とする送風手段と、前記送風手段の送風状態を切り換える切換スイッチとからなるように構成する。
【発明の効果】
【００１６】
本発明のドライヤは、温風又は冷風を供給は、送風手段により別ルートで冷却部及び加温部のいずれか一方、又は第１熱交換部及び第２熱交換部のいずれか一方を通して選択的に送風することで行うことができる。このため、温風と冷風の切り換えを迅速且つ的確に行うことができる。
【発明を実施するための最良の形態】
【００１７】
温風運転と冷風運転とを迅速に切り換えるという目的を、構造を簡素化しつつ実現した。
【実施例１】
【００１８】
図１は、本発明の実施例１に係るドライヤの概略構成図である。
【００１９】
本実施例のドライヤ１は、図１のように、把持して使用するタイプのものである。このドライヤ１は、吹出部３と、第１、第２熱交換部５，７と、冷却加熱部９と、送風手段１１と、切換スイッチ１３とを備えている。ドライヤ１では、吹出部３を把持して温風、冷風、送風等の頭髪調整風の吹き出し操作を行う。吹出部３へは、送風手段１１により第１、第２熱交換部５，７のいずれか一方を通して選択的に送風可能となっている。送風手段１１の送風状態は、切換スイッチ１３により切り換えられる。吹出部３への送風に対しては、第１、第２熱交換部５，７において熱交換可能となっている。第１、第２熱交換部５，７の熱交換は、冷却加熱部９によって第１、第２熱交換部５，７の一方から吸熱し他方へ放熱させて行われる。
【００２０】
前記吹出部３は、例えば、合成樹脂からなり筒状に形成されている。吹出部３の一端は、外部と連通するように開口し吹出口１５を形成している。吹出口１５には、前記送風手段１１の送風管１７の一端が臨んでいる。吹出部３内には、針状のマイナス電極部１８が設けられている。マイナス電極部１８は、吹出口１５側に配置されている。マイナス電極部１８には、後述するイオン発生スイッチ２６及びＡＣ電源３２が接続されている。イオン発生スイッチ２６の操作によって、ＡＣ電源３２からマイナス電極部１８にパルス状の高電圧が印加されるようになっている。従って、マイナス電極部１８は、イオン発生スイッチ２６及びＡＣ電源３２と共にマイナスイオン発生手段を構成している。
【００２１】
前記吹出部３には、把持するための把持部１９が一体的に設けられている。把持部１９の先端からは、送風管１７が引き出されている。把持部１９には、前記切換スイッチ１３を構成する風速調整スイッチ２１、温冷切換スイッチ２３、ヒータスイッチ２５、イオン発生スイッチ２６が設けられている。
【００２２】
前記送風手段１１は、送風管１７と、第１、第２ファン２７，２９とからなる。送風管１７は、耐熱性及び可撓性を有し長尺中空状に形成されている。送風管１７は、吹出部３及び把持部１９内に挿通されている。送風管１７の一端は、前記のように、吹出部３の吹出口１５に臨み、他端は把持部１９から引き出されている。送風管１７の把持部１９からの引出し長さは、例えば、吹出部３の自由な操作を可能とするために３ｍ程度に設定されている。ただし、前記引出長さは、任意に設定でき、３ｍ以下又は以上とすることも可能である。送風管１７の他端は、前記第１、第２熱交換部５，７に接続されている。
【００２３】
送風管１７には、風速調整機構３０が取り付けられている。風速調整機構３０は、前記風速調整スイッチ２１の操作によって、送風管１７の管路の断面積を狭くして送風の風速を上昇可能とするものである。
【００２４】
前記送風手段１１は、ファンユニット３１を備えている。ファンユニット３１は、第１、第２熱交換部５，７に結合配置されている。ファンユニット３１に隣接してコントロールユニット３２が設けられている。コントロールユニット３２は、スイッチング回路等からなり、電力供給用のＡＣ電源３２に接続されている。ファンユニット３１は、冷却加熱部９や後述するヒータ５３にＡＣ電源３２からの電力を供給可能としている。
【００２５】
前記ファンユニット３１内には、第１、第２ファン２７，２９が収納されている。ファンユニット３１は、開口などによって外部から第１、第２ファン２７，２９に対して通風可能となっている。第１ファン２７は第１熱交換部５側に、第２ファン２９は第２熱交換部７側に配置されている。第１、第２ファン２７，２９は、ファンユニット３１に対して軸周りに回転自在に支持されている。第１、第２ファン２７，２９の駆動は、駆動モータにより行われる。駆動モータは、ファンユニット３１内に設けられ、第１、第２ファン２７，２９を各別に駆動可能とする。駆動モータは、ＡＣ電源３２及び温冷切換スイッチ２３に接続されている。
【００２６】
従って、温冷切換スイッチ２３の操作により、駆動モータを介して第１、第２ファン２７，２９は選択的に駆動又は停止される。かかる駆動によって、第１又は第２ファン２７，２９から第１又は第２熱交換部５，７の後述する第１、第２分岐管４１，４３の端部に送風可能となっている。
【００２７】
前記第１、第２熱交換部５，７は、前記冷却加熱部９の両側の熱交換面３３，３５にそれぞれ隣接配置されている。第１、第２熱交換部５，７は、第１、第２伝導フィン組３７，３９と、第１、第２分岐管４１，４３と、第１、第２熱交換ジャケット４５，４７とを備えている。
【００２８】
前記第１、第２伝導フィン組３７，３９は、熱伝導性の良い複数の伝導フィン４９からなる。複数の伝導フィン４９は、第１，第２分岐管４１，４３に沿って層状に配置され、この複数の伝導フィン４９と第１，第２分岐管４１，４３とは、相互に接触又は結合されている。各伝導フィン４９は、それぞれ冷却加熱部９の両側の熱交換面３３，３５に熱伝導可能に接し又は結合されている。
【００２９】
前記第１、第２分岐管４１，４３は熱伝導性の良い金属材料などで形成され、その一端は、相互に合流して前記送風管１７に接続され、他端は、前記送風手段１１の第１、第２ファン２７，２９に各別に対向している。
【００３０】
前記第１、第２熱交換ジャケット４５，４７は、前記冷却加熱部９に、その熱交換面３３，３５及び第１、第２伝導フィン組３７，３９を覆うように取り付けられている。第１、第２熱交換ジャケット４５，４７は、冷却加熱部９と共に閉断面を形成している。但し、第１、第２熱交換ジャケット４５，４７を省略することもできる。
【００３１】
前記第２熱交換ジャケット４７内には、第２の伝導フィン組３９に結合されたヒータ５３が設けられている。ヒータ５３は、ヒータスイッチ２５に接続され、そのヒータスイッチ２５の操作により、発熱の断続操作が可能となっている。ただし、ヒータ５３は、吹出部３内に設けても良い。
【００３２】
図２は、図１に示すドライヤの冷却加熱部の説明図である。
【００３３】
前記冷却加熱部９は、ペルチェ効果を利用したものである。すなわち、冷却加熱部９は、図２のように、第２熱交換部７側に設けられた一対の電極５５ａ，５５ｂを有している。電極５５ａ，５５ｂに対し、第１熱交換部５側に設けられた電極５７が対向配置されている。電極５５ａ，５５ｂ，５７は、例えば、銅や金等の導電性の金属からなっている。
【００３４】
電極５５ａ，５５ｂ間の表面には熱交換板５９が設けられ、電極５７の表面には熱交換板６０が設けられている。熱交換板５９，６０は、例えば、セラミックからなっている。熱交換板５９，６０の表面は、それぞれ熱交換面３３，３５となっている。
【００３５】
前記電極５５ａ，５５ｂと電極５７との対向面間には、熱電素子としてのＰ形半導体６１及びＮ形半導体６３が介設されている。電極５５ａ，５５ｂ間からＰ、Ｎ形半導体６１，６３間に渡って、熱伝導性を有した絶縁体６５が設けられている。絶縁体６５は、一端が熱交換板５９に接続され、他端が、電極５７に接続されている。これによって、電極５５ａ，５５ｂ間及びＰ，Ｎ形半導体６１，６３間を絶縁すると共に、熱交換面３３，３５間の熱伝導性を向上している。
【００３６】
前記冷却加熱部９の電極５５ａ，５５ｂには、温冷切換スイッチ２３及びＡＣ電源３２が接続されている。冷却加熱部９は、温冷切換スイッチ２３の操作によって動作が断続される。
【００３７】
冷却加熱部９を動作させる時には、ＡＣ電源３２からの電流を冷却加熱部９に流す。ＡＣ電源３２からの電流は、電極５５ｂ、Ｎ形半導体６３、電極５７、Ｐ形半導体６１、電極５５ａへ順次流れていく。これによって、電極５５ａ，５５ａ，５７とＰ，Ｎ形半導体６１，６３との接合面６７，６９，７１，７３に電流が流れることになる。このとき、冷却加熱部９は、そのペルチェ効果により、接合面６９，７１に吸熱作用が発生し、接合面６７，７３に放熱作用が発生する。前記吸熱作用により、熱交換板６０から吸熱し、前記放熱作用により、熱交換板５９から放熱する。
【００３８】
従って、冷却加熱部９では、熱交換面３５が吸熱面となり第１熱交換部５から吸熱可能とし、熱交換面３３が放熱面となり前記吸熱による熱を第２熱交換部７へ放熱可能としている。ただし、冷却加熱部９では、電流の流れを逆にすることにより、吸熱面と放熱面とを逆にすることも可能である。
【００３９】
次に、作用を説明する。
【００４０】
吹出部３の把持部１９を把持して吹出操作を行う。吹出操作は、把持部１９の切換スイッチ１３により送風状態を切り換えて行う。送風状態の切り換えでは、温冷切換スイッチ２３による冷風運転、温風運転、送風運転の運転状態の選択と風速調整スイッチ２１による各運転状態における風速の調整を行う。
【００４１】
前記冷風運転を選択した場合には、冷却加熱部９が動作されると共に駆動モータにより第１ファン２７が回転駆動される。このとき、例えば、第１、第２分岐管４１，４３の合流部分に設けた開閉弁により、第１分岐管４１が開放されると共に第２分岐管４３が閉塞される。なお、開閉弁は、例えば、温冷切換スイッチ２３に連動し、冷風運転時に第２分岐管４３を閉塞し、温風運転時に第１分岐管４１を閉塞するように構成することができる。
【００４２】
前記第１ファン２７の回転駆動により、第１熱交換部５を通して送風管１７側に送風される。すなわち、送風は、第１熱交換部５の第１分岐管４１及び送風管１７を順次通過する。
【００４３】
送風が第１分岐管４１を通過する際には、第１熱交換部５の熱交換によって冷却される。この冷却は、冷却加熱部９の動作によって第１熱交換部５から吸熱することで行われる。冷却加熱部９による吸熱では、第１分岐管４１及び第１熱交換ジャケット４５内の熱が第１伝導フィン組３７に伝導し、その第１伝導フィン組３７を介して吸熱面となっている熱交換面３５により吸熱される。
【００４４】
この結果、第１分岐管４３及び第１熱交換ジャケット４５内を冷却することができる。第１分岐管４３内の冷風は、吹出部３の吹出口１５から吹き出される。
【００４５】
前記冷却時には、飽和水蒸気量の低下により第１分岐管４１内に水滴が凝縮する。この凝縮時に酸素が発生し、この酸素が冷風と共に吹出部３の吹出口１５から吹き出される。吹き出された酸素は、酸化剤として作用する。
【００４６】
例えば、毛髪へのパーマネントの際には、パーマ用第１剤による膨潤を引き締め、第２剤の効きを向上することができる。毛髪を染色するカラーリングの際には、カラーを引き締め、毛髪への色の定着を向上することができる。
【００４７】
前記温風運転を選択した場合には、冷却加熱部９が動作されると共に駆動モータにより第２ファン２９が回転駆動される。このとき、前記開閉弁により、第２分岐管４３が開放されると共に第１分岐管４１が閉塞される。
【００４８】
前記第２ファン２９の回転駆動により、第２熱交換部７を通して送風管１７側に送風され、第２熱交換部７の第２分岐管４３及び送風管１７を順次通過する。
【００４９】
送風が第２分岐管４３を通過する際には、第２熱交換部７の熱交換によって加熱（加温）される。この加熱は、冷却加熱部９の動作によって第２熱交換部７へ放熱することで行われる。冷却加熱部９による放熱では、前記吸熱による熱を放熱面となっている熱交換面３５から第２伝導フィン組３９に伝導する。この結果、第２分岐管４３を加熱することができる。従って、第２分岐管４３内の送風を加熱することができ、送風管１７へ温風を供給することができる。温風は、吹出部３の吹出口１５から吹き出されることになる。
【００５０】
前記冷却加熱部９による送風の加熱時には、必要に応じてヒータ５３を動作させる。本実施例では、冷却加熱部９の加熱によって約８０℃の温風が供給される。ここで、補助的にヒータ５３を併用することにより、温風を約１８０℃まで加熱することができる。これによって、湿潤した毛髪等を迅速に乾燥させることや整髪作用を向上させることができる。
【００５１】
前記送風運転を選択した場合には、第１、第２ファン２７，２９のいずれか一方又は双方が駆動されると共に冷却加熱部９が動作が停止される。送風は、加熱及び冷却のいずれも行われることなく、吹出部３の吹出口１５から吹き出されることになる。
【００５２】
前記各運転状態では、イオン発生スイッチ２６によってマイナスイオンを発生することができる。すなわち、イオン発生スイッチ２６を操作してマイナス電極部１８にパルス状の高電圧を印加すると、マイナス電極部１８から吹出部３内に電子が放出される。放出された電子は、その周囲の酸素、あるいは水分等と結合してマイナスイオンを形成する。発生したマイナスイオンは、各運転状態に応じて、冷風、温風、送風と共に吹出部３の吹出口１５から吹き出されることになる。従って、吹出部３による吹出操作を行いながら、マイナスイオンによって、心身のリラックス、毛髪や頭皮の細胞の老化を防ぎ、新陳代謝の活性化を促すことができると共に、吹出部３の防臭やカビ発生の抑制をも行うことができる。なお、マイナスイオンの発生に際しては、エネルギーが小さいため、オゾンの発生量を低減することができる。
【００５３】
上記のように、本実施例のドライヤ１では、温風、冷風、送風運転のいずれかにより、湿潤した毛髪を乾燥させることができる。
【００５４】
本実施例では、温風運転後、直ちに冷風運転とすることにより、乾燥、加熱された毛髪を冷却することができる。これにより、整髪効果を高めることができる。
【００５５】
温風運転と冷風運転との切り換えは、送風手段１１により別ルートで第１熱交換部５及び第２熱交換部７のいずれか一方を通して選択的に送風することで行うことができる。このため、温風と冷風の切り換えを迅速且つ的確に行うことができる。
【００５６】
本実施例では、１つの冷却加熱部９がいわゆるヒートポンプとして機能することにより第１、第２熱交換部５，７を介して送風を加熱又は冷却し、温風又は冷風を選択的に供給することができる。このため、従来のようにヒータと冷却部とを別々に設けた場合に比較して、構造を簡素化することができる。
【００５７】
送風手段１１は、吹出部３と第１、第２熱交換部５，７との間を接続する送風管１７と、第１、第２熱交換部５，７からそれぞれ送風管１７側へ送風可能とする第１、第２ファン２７，２９を備えており、切換スイッチ１３によって、第１、第２ファン２７，２９を選択的に駆動させて送風手段１１の送風状態を切り換えることができる。このため、温風と冷風の切り換えを、より容易且つ的確に行うことができる。
【００５８】
第１、第２熱交換部５，７は、冷却加熱部９の両側の熱交換面３３，３５にそれぞれ隣接接触しているため、確実に温風及び冷風を供給することができる。
【００５９】
第１、第２熱交換部５，７は、冷却加熱部９の両側の熱交換面３３，３５に各別に接する複数の第１、第２伝導伝導フィン組３７，３９と第１、第２熱伝導伝導フィン組３７，３９に各別に接し一端が送風管１７に連通し他端が第１、第２ファン２７，２９に各別に対向する第１、第２分岐管４１，４３とよりなる。従って、第１又は第２ファン２７，２９を選択的に駆動すれば、第１又は第２分岐管４１，４３から第１熱交換部５及び第２熱交換部７のいずれか一方を通した送風を確実に行うことができる。
【００６０】
本実施例のドライヤ１では、把持して操作される吹出部３にモータやファンが組み付けられていないので、吹出部３を軽量とすることができる。このため、吹出操作を容易に且つ的確に行わせ、女性などによる長時間の作業にも十分に対応させることができる。
【００６１】
本実施例のドライヤ１では、ペルチェ効果を利用した冷却加熱部９により送風を加熱して温風及び冷風を供給することができる。従って、熱交換用の冷媒や、さらには圧縮用のコンプレッサー等を不要とし、装置全体としての小型化を図ることができると共に、廃棄する際等の環境への悪影響も低減することができる。
【００６２】
本実施例のドライヤ１では、第２熱交換部７に、発熱の断続操作可能なヒータ５３を設けたため、冷却加熱部９と共に補助的にヒータ５３を用いることにより、温風をさらに加熱することができる。これによって、湿潤した毛髪等を迅速に乾燥させることや整髪作用を向上させることができる。
【００６３】
なお、前記ファンユニット３１の開口を第１，第２熱交換部５，７側に設け、前記第１、第２熱交換ジャケット４５，４７内を通して通気させることもできる。これにより、第１、第２ファン２７，２９により第１、第２分岐管４１，４３に送られる空気は、常温ではなく、第１，第２熱交換部５，７の第１、第２伝導フィン組３７，３９の外面で熱交換された空気とすることができ、頭髪調整風のより効率の良い加温又は冷却を行わせることができる。
【００６４】
前記第１，第２分岐管４１，４３は、分岐管とせずそのまま延説して各別の送風管を接続し、２本の送風管を吹出口１５に臨ませるように構成することもできる。
【実施例２】
【００６５】
図３は、本発明の実施例２に係るドライヤの吹出部を示す断面図である。
【００６６】
本実施例のドライヤ１Ａは、図３のように、ヘアカラー、ヘアマニキュア、パーマネント等の際に、床に設置して使用するものである。このドライヤ１Ａでは、基本的な構成が上記実施例１のドライヤ１と共通しており、吹出部３に代えて吹出部３Ａが設けられている。なお、上記実施例１と同一構成部分には同一符号を付して詳細な説明を省略する。
【００６７】
前記吹出部３Ａは、下側が開口７５を有した箱状に形成されている。吹出部３Ａは、開口７５を介して頭部に被せることが可能なようになっている。なお、吹出部３Ａは、例えば、支持アーム等によって上下位置や傾斜角度等を調整可能に支持されている。吹出部３Ａの上側には、前記送風手段１１の送風管１７の先端が取り付けられている。吹出部３Ａ内は、送風管１７と連通している。吹出部３Ａ内の上側には、前記マイナス電極部１８が設けられている。
【００６８】
前記吹出部３Ａ内の上下中間部には、吹出口１５Ａが設けられている。吹出口１５Ａは、板状に形成され、吹出部３Ａ内を閉塞するように設けられている。吹出口１５Ａには、冷風、温風、送風が吹き出すための複数の孔７７が貫通形成されている。吹出口１５Ａと開口７５との間には、頭部を入れ込むための空間部７９が形成されている。
【００６９】
本実施例のドライヤ１Ａでは、ヘアカラー、ヘアマニキュア、パーマネント等の際に、吹出部３Ａを頭部に被せる。すなわち、吹出部３Ａの上下位置や傾斜角度等を調整しつつ、開口７５から空間部７９内に頭部を入れ込む。この状態で、吹出口１５Ａから冷風、温風、送風を吹き出すことができる。
【００７０】
従って、本実施例においても、上記実施例１と同様な作用及び効果を奏することができる。
【実施例３】
【００７１】
図４は、本発明の実施例３に係るドライヤの概略構成図である。
【００７２】
本実施例のドライヤ１Ｂは、図４のように、送風管１７に合流する第１、第２分岐管４１，４３に各別に冷却部８１と加温部８３とを設けたものである。なお、ドライヤ１Ｂでは、基本的な構成が上記実施例１のドライヤ１と共通しており、上記実施例１と同一構成部分には同一符号を付して詳細な説明を省略する。
【００７３】
すなわち、ドライヤ１Ｂでは、上記実施例１の冷却加熱部９と第１熱交換部５とで冷却部８１を構成し、第２熱交換部７に代えて冷却部８１とは別体の加温部８３が設けられている。
【００７４】
従って、冷却部８１は、上記同様送風が第１分岐管４１を通過する際に、上記同様第１熱交換部５によって熱交換を行い前記送風を冷却することができる。この冷却は、冷却加熱部９の動作によって第１熱交換部５から熱交換面３５へ吸熱することで行われる。この吸熱によって第１分岐管４１を通過する送風を冷却することができる。前記吸熱を行った冷却加熱部９からは、外部に露出した放熱面である熱交換面３５から放熱が行われる。
【００７５】
前記加温部８３は、その内部を第２分岐管４３が貫通している。加温部８３の内部には、第２分岐管４３を加熱可能なヒータ５３Ｂが設けられている。そして、加温部８３は、送風が第２分岐管４３を通過する際に、熱交換を行うことで前記送風を加熱（加温）することができる。この加熱は、ヒータ５３Ｂを動作させ第２分岐管４３を加熱することで行われる。加熱された第２分岐管４３は、送風に対し熱交換を行い、その送風を加熱することができる。なお、加温部８９は、ヒータ５３Ｂに直接風を当てて温風を作り、第２分岐管４３に供給する構成にすることもできる。
【００７６】
従って、本実施例においても、上記実施例１と同様な作用及び効果を奏することができる。
【００７７】
また、本実施例では、冷却部８１と加温部８３とが別々に設けられているため、例えば、冷却部８１及び加温部８３のいずれか一方が故障した等のような使用不能状態であっても、他方を使用することができる。
【００７８】
以上、本発明の実施例について説明したが、本発明はこれに限定されるものではなく、構成の要素に付随した各種の変更が可能である。例えば、上記実施例１，２では、ペルチェ効果を利用した冷却加熱部９を用いていたが、これに代えて、ヒートポンプとして機能する冷媒を用いた冷却加熱部を設けても良い。
【００７９】
冷却加熱部９、第１，第２熱交換部５，７、ファンユニット３１，コントロールユニット３２は、吹出部３，３Ａとは別体に構成されていたが、吹出部３，３Ａ内に一体的に構成することもできる。冷却加熱部９及び第１，第２熱交換部５，７のみ吹出部３，３Ａ内に組み込む構成にすることもできる。
【００８０】
上記実施例１，２では、補助的にヒータ５３を設けていたが、これを省略した構成とすることもできる。
【００８１】
上記実施例１〜３では、吹出部３，３Ａと第１、第２熱交換部５，７とを接続する送風管１７を設け、第１、第２熱交換部５，７に送風管１７に合流する第１、第２分岐管４１，４３を設けていたが、送風管を省略し、第１、第２分岐管をそれぞれ吹出部３，３Ａの吹出口１５まで延設した構成とすることもできる。
【００８２】
上記実施例１〜３では、風速調整スイッチ２１及び風速調整機構３０を設けていたが、これに代えて、例えば、駆動モータを介して第１、第２ファン２７，２９の回転数を制御可能とする風量調整スイッチを設けても良い。この場合、風量調整スイッチの操作によって、回転駆動状態の第１、第２ファン２７，２９の回転数を上げて風量を増加することができ、回転数を下げて風量を減少させることができる。
【００８３】
上記実施例１，３では、把持して使用するドライヤ１及び床に設置して使用するドライヤ１Ａについて説明したが、例えば、吹出口に髪巻部や櫛部を着脱自在に設けたロールブラシ式ブロッサ等、いわゆる美容院や理髪店にて用いられる各種のドライヤにも適用することができる。
【産業上の利用可能性】
【００８４】
把持して使用するドライヤ、床などに設置した状態で使用され頭部を覆うドライヤ、ロールブラシ式ブロッサ等、いわゆる美容院や理髪店において用いられる各種のドライヤに適用することができる。
【図面の簡単な説明】
【００８５】
【図１】本発明の実施例１に係るドライヤを示す概略構成図である（実施例１）。
【図２】図１に示すドライヤの冷却加熱部の説明図である（実施例１）。
【図３】本発明の実施例２に係るドライヤの吹出部を示す断面図である（実施例２）。
【図４】本発明の実施例３に係るドライヤの概略構成図である（実施例３）。
【図５】従来のドライヤを示す概略構成図である。
【符号の説明】
【００８６】
１，１Ａ，１Ｂ  ドライヤ
３，３Ａ  吹出部
５  第１熱交換部
７  第２熱交換部
９  冷却加熱部
１１  送風手段
８１  冷却部
８３  加温部
【図１】
2005118366.tif 000003
【図２】
2005118366.tif 000004
【図３】
2005118366.tif 000005
【図４】
2005118366.tif 000006
【図５】
2005118366.tif 000007